(57)【要約】【課題】非使用時において小型化を図ることを可能とする投写型映像表示装置を提供する。【解決手段】投写型映像表示装置１００は、光源１０、ＤＭＤ３５０及び投写光学系３２０を収容する筐体２００を備える。筐体２００は、投写レンズ群３２１を収容する第１内装筐体２５１と、凹面ミラー３２２を収容する第２内装筐体２５２とを有する。凹面ミラー３２２は、投写光学系３２０の光軸Ｌに対してＤＭＤ３５０の反対側にシフトするように配置される。第１内装筐体２５１は、投写光学系３２０の光軸Ｌに沿って第２内装筐体２５２を摺動可能に支持する。筐体２００は、第２内装筐体２５２の摺動によって伸縮する。【選択図】図４
2012208242.tif 000002
【特許請求の範囲】
【請求項１】
光源、前記光源から出射される光を変調する光変調素子、及び、前記光変調素子から出射される光を投写面上に投写する投写光学系を収容する筐体を備える投写型映像表示装置であって、
前記投写光学系は、前記光変調素子から出射される光を投写する投写レンズ群と、前記投写レンズ群から出射される光を前記投写面側に反射する凹面ミラーとを有しており、
前記筐体は、前記投写レンズ群を収容する第１筐体と、前記凹面ミラーを収容する第２筐体とを有しており、
前記光変調素子は、前記投写光学系の光軸に対して一方にシフトするように配置されており、
前記凹面ミラーは、前記投写光学系の光軸に対して他方にシフトするように配置されており、
前記第１筐体は、前記投写光学系の光軸に沿って前記第２筐体を摺動可能に支持しており、
前記筐体は、前記第２筐体の摺動によって伸縮することを特徴とする投写型映像表示装置。
【請求項２】
前記第１筐体は、前記筐体の伸長状態において、前記凹面ミラーで反射された光を透過する透過領域を有しており、
前記第２筐体の一部は、前記筐体の縮退状態において、前記透過領域を被覆することを特徴とする請求項１に記載の投写型映像表示装置。
【請求項３】
前記第１筐体は、側面視において、Ｖ字斜面を有しており、
前記Ｖ字斜面は、前記光変調素子に近づくほど前記投写光学系の光軸に近づくように傾斜する第１斜面と、前記光変調素子に近づくほど前記投写光学系の光軸から離れるように傾斜する第２斜面とによって構成されており、
前記透過領域は、前記第１斜面に設けられており、
前記Ｖ字斜面は、前記筐体の伸長状態において、前記凹面ミラーで反射された光を遮光しない形状を有することを特徴とする請求項２に記載の投写型映像表示装置。
【請求項４】
前記第１筐体及び前記第２筐体は、前記筐体の伸縮において、前記第１筐体及び前記第２筐体によって前記凹面ミラーが密閉された状態を維持する形状を有することを特徴とする請求項１に記載の投写型映像表示装置。
【発明の詳細な説明】
【技術分野】
【０００１】
本発明は、光源から出射される光を変調する光変調素子と、光変調素子から出射される光を投写面上に投写する投写光学系とを備える投写型映像表示装置に関する。
【背景技術】
【０００２】
従来、光源から出射される光を変調する光変調素子、光変調素子から出射される光を投写面上に投写する投写光学系を収容する筐体を備える投写型映像表示装置が知られている。
【０００３】
近年、投写型映像表示装置と投写面との距離を短縮するために、投写光学系に凹面ミラーが配置された投写型映像表示装置が提案されている。
【０００４】
ところで、光変調素子から出射された光を凹面ミラーで反射して、光変調素子から出射された光を投写面上に投写する場合に、光変調素子と凹面ミラーとの間に、ある程度の距離が必要である。
【０００５】
一方で、投写型映像表示装置の小型化が望まれている。小型化を実現する投写型映像表示装置の小型化として、投写光学系の光軸方向において、凹面ミラーをスライドさせる投写型映像表示装置が提案されている（例えば、特許文献１）。
【先行技術文献】
【特許文献】
【０００６】
【特許文献１】特開２００９−８６３１５号公報
【発明の概要】
【発明が解決しようとする課題】
【０００７】
ところで、上述した投写型映像表示装置は、持ち運びなどの観点から、非使用時において小型であることが好ましい。
【０００８】
そこで、本発明は、上述した課題を解決するためになされたものであり、非使用時において小型化を図ることを可能とする投写型映像表示装置を提供することを目的とする。
【課題を解決するための手段】
【０００９】
第１の特徴に係る投写型映像表示装置は、光源（光源１０）、前記光源から出射される光を変調する光変調素子（ＤＭＤ３５０）、及び、前記光変調素子から出射される光を投写面上に投写する投写光学系（投写光学系３２０）を収容する筐体（筐体２００）を備える。前記投写光学系は、前記光変調素子から出射される光を投写する投写レンズ群（投写レンズ群３２１）と、前記投写レンズ群から出射される光を前記投写面側に反射する凹面ミラー（凹面ミラー３２２）とを有する。前記筐体は、前記投写レンズ群を収容する第１筐体（第１内装筐体２５１）と、前記凹面ミラーを収容する第２筐体（第２内装筐体２５２）とを有する。前記光変調素子は、前記投写光学系の光軸に対して一方にシフトするように配置される。前記凹面ミラーは、前記投写光学系の光軸に対して他方にシフトするように配置される。前記第１筐体は、前記投写光学系の光軸に沿って前記第２筐体を摺動可能に支持する。前記筐体は、前記第２筐体の摺動によって伸縮する。
【００１０】
第１の特徴において、前記第１筐体は、前記筐体の伸長状態において、前記凹面ミラーで反射された光を透過する透過領域を有する。前記第２筐体の一部は、前記筐体の縮退状態において、前記透過領域を被覆する。
【００１１】
第１の特徴において、前記第１筐体は、側面視において、Ｖ字斜面を有する。前記Ｖ字斜面は、前記光変調素子に近づくほど前記投写光学系の光軸に近づくように傾斜する第１斜面と、前記光変調素子に近づくほど前記投写光学系の光軸から離れるように傾斜する第２斜面とによって構成される。前記透過領域は、前記第１斜面に設けられる。前記Ｖ字斜面は、前記筐体の伸長状態において、前記凹面ミラーで反射された光を遮光しない形状を有する。
【００１２】
第１の特徴において、前記第１筐体及び前記第２筐体は、前記筐体の伸縮において、前記第１筐体及び前記第２筐体によって前記凹面ミラーが密閉された状態を維持する形状を有する。
【発明の効果】
【００１３】
本発明によれば、非使用時において小型化を図ることを可能とする投写型映像表示装置を提供することができる。
【図面の簡単な説明】
【００１４】
【図１】図１は、第１実施形態に係る投写型映像表示装置１００の概略構成を示す図である。
【図２】図２は、第１実施形態に係る投写型映像表示装置１００の概略構成を示す図である。
【図３】図３は、第１実施形態に係る投写型映像表示装置１００の詳細を示す図である。
【図４】図４は、第１実施形態に係る投写型映像表示装置１００の詳細を示す図である。
【図５】図５は、第１実施形態に係る照明光学系３１０を示す図である。
【図６】図６は、変更例１に係る投写型映像表示装置１００を示す図である。
【図７】図７は、変更例２に係る投写型映像表示装置１００を示す図である。
【発明を実施するための形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る投写型映像表示装置は、光源、光源から出射される光を変調する光変調素子、及び、光変調素子から出射される光を投写面上に投写する投写光学系を収容する筐体を備える。投写光学系は、光変調素子から出射される光を投写する投写レンズ群と、投写レンズ群から出射される光を投写面側に反射する凹面ミラーとを有する。筐体は、投写レンズ群を収容する第１筐体と、凹面ミラーを収容する第２筐体とを有する。光変調素子は、投写光学系の光軸に対して一方にシフトするように配置される。凹面ミラーは、投写光学系の光軸に対して他方にシフトするように配置される。第１筐体は、投写光学系の光軸に沿って第２筐体を摺動可能に支持する。筐体は、第２筐体の摺動によって伸縮する。
【００１８】
実施形態では、第１筐体は、投写光学系の光軸に沿って第２筐体を摺動可能に支持する。また、凹面ミラーは、投写光学系の光軸に対して光変調素子の反対側にシフトするように配置される。従って、筐体の縮退時において、投写光学系の光軸に対して光変調素子の反対側に設けられる空き空間に凹面ミラーを収容することができる。
【００１９】
［第１実施形態］
（投写型映像表示装置の概略）
以下において、第１実施形態に係る投写型映像表示装置の概略について、図面を参照しながら説明する。図１は、第１実施形態に係る投写型映像表示装置１００（床面投写）を示す図である。図２は、第１実施形態に係る投写型映像表示装置１００（壁面投写）を示す図である。
【００２０】
図１及び図２に示すように、投写型映像表示装置１００は、筐体２００を有しており、投写面（不図示）に映像を投写する。投写面は、図１に示すように、床面に設けられていてもよく、図２に示すように、壁面に設けられてもよい。
【００２１】
ここで、筐体２００は、後述するように、伸縮可能に構成される。また、筐体２００は、側面視において、Ｖ字斜面２１０を有する。Ｖ字斜面２１０は、投写面に近づくほど深くなる第１斜面２１１と、投写面から離れるほど深くなる第２斜面２１２とを有する。第１斜面２１１には、筐体２００の伸縮状態において、映像光を透過する透過領域２１３が設けられている。
【００２２】
Ｖ字斜面２１０は、筐体２００の伸縮状態において、映像光を遮光しない形状（傾斜）を有する。透過領域２１３は、開口であってもよく、ガラスなどの透明部材によって構成されていてもよい。
【００２３】
（投写型映像表示装置の詳細）
以下において、第１実施形態に係る投写型映像表示装置の詳細について、図面を参照しながら説明する。図３及び図４は、投写型映像表示装置１００の詳細を示す図である。図３は、投写型映像表示装置１００の正面視を示す図である。図４は、投写型映像表示装置１００の側面視を示す図である。図３及び図４では、筐体２００を透過して、投写型映像表示装置１００の内部構成が示されている。
【００２４】
図３及び図４に示すように、投写型映像表示装置１００は、照明光学系３１０と、投写光学系３２０と、冷却装置３３０と、基板３４０と、ＤＭＤ３５０とを有する。
【００２５】
照明光学系３１０は、後述するように、光源などを有しており、ＤＭＤ３５０に照射すべき光を出射する。なお、照明光学系３１０の詳細については後述する（図５を参照）。
【００２６】
投写光学系３２０は、ＤＭＤ３５０から出射される映像光を投写面に投写する。例えば、投写光学系３２０は、投写レンズ群３２１と、凹面ミラー３２２とを有する。
【００２７】
投写レンズ群３２１は、ＤＭＤ３５０から出射される映像光を凹面ミラー３２２側に出射する。投写レンズ群３２１は、投写光学系３２０の光軸Ｌを中心とする略円形形状のレンズ、投写光学系３２０の光軸Ｌを中心とする略円形形状の一部分によって構成される形状（例えば、下半分の半円形状）のレンズなどを含む。
【００２８】
なお、投写光学系３２０に含まれるレンズの径は、凹面ミラー３２２に近いほど大きいことに留意すべきである。
【００２９】
凹面ミラー３２２は、ＤＭＤ３５０から出射された映像光を投写面側に反射する。凹面ミラー３２２は、例えば、ＤＭＤ３５０側に凹面を有する非球面ミラーである。凹面ミラー３２２は、図４に示すように、投写光学系３２０の光軸Ｌに対してＤ側にシフトしている。すなわち、凹面ミラー３２２は、投写光学系３２０の光軸Ｌに対してＤＭＤ３５０の反対側にシフトしている。
【００３０】
冷却装置３３０は、照明光学系３１０の熱源（例えば、光源）を冷却する機能を有する。例えば、冷却装置３３０は、ヒートシンクなどの放熱部材である。
【００３１】
基板３４０は、投写型映像表示装置１００の動作を制御する主制御回路やＡＣ電力をＤＣ電力に変換する電力変換回路などを有する。
【００３２】
ＤＭＤ３５０は、複数の微小ミラーによって構成されており、複数の微小ミラーは可動式である。ＤＭＤ３５０は、各微小ミラーの角度を変更することによって、照明光学系３１０から出射される光を反射するか否かを切り替える。
【００３３】
ここで、ＤＭＤ３５０の中心は、図４に示すように、投写光学系３２０の光軸Ｌからシフトしていることに留意すべきである。具体的には、ＤＭＤ３５０の中心は、投写光学系３２０の光軸Ｌに対してＣ側にシフトしている。
【００３４】
第１実施形態では、筐体２００は、第１内装筐体２５１と、第２内装筐体２５２と、第１外装筐体２６１と、第２外装筐体２６２とを有する。
【００３５】
第１内装筐体２５１は、投写レンズ群３２１を収容する。第２内装筐体２５２は、凹面ミラー３２２を収容する。第１外装筐体２６１は、投写レンズ群３２１とともに、第１内装筐体２５１を収容する。第２外装筐体２６２は、凹面ミラー３２２とともに第２内装筐体２５２を収容する。
【００３６】
ここで、第２内装筐体２５２は、凹面ミラー３２２が動かないように凹面ミラー３２２を支持していることに留意すべきである。第１実施形態では、第２内装筐体２５２は、正面視において凹面ミラー３２２の両側（左右方向）から凹面ミラー３２２を支持する（図３を参照）。また、第２内装筐体２５２は、側面視において凹面ミラー３２２の両側（上下方向）から凹面ミラー３２２を支持する。
【００３７】
なお、第１内装筐体２５１及び第１外装筐体２６１の組み合わせが投写レンズ群３２１を収容する第１筐体であると考えてもよい。同様に、第２内装筐体２５２及び第２外装筐体２６２の組み合わせが凹面ミラー３２２を収容する第２筐体であると考えてもよい。
【００３８】
ここで、第１内装筐体２５１は、投写光学系３２０の光軸Ｌに沿って摺動可能に第２内装筐体２５２を支持する。従って、筐体２００は、第２内装筐体２５２の摺動によって伸縮する。なお、第２外装筐体２６２は、筐体２００の縮退に伴って、第１外装筐体２６１内に収容される。
【００３９】
第１に、図３に示すように、第１内装筐体２５１は、ガイドレール４５１Ａ及びガイドレール４５１Ｂを有する。ガイドレール４５１Ａ及びガイドレール４５１Ｂは、投写光学系３２０の光軸Ｌに沿って第２内装筐体２５２を摺動するためのレールである。すなわち、第２内装筐体２５２は、ガイドレール４５１Ａ及びガイドレール４５１Ｂに沿って摺動する。
【００４０】
ここで、ガイドレール４５１Ａは、筐体２００の伸長状態において、第２内装筐体２５２を係止するための係止部４５１Ｃを有する。同様に、ガイドレール４５１Ｂは、筐体２００の伸長状態において、第２内装筐体２５２を係止するための係止部４５１Ｄを有する。
【００４１】
係止部４５１Ｃ及び係止部４５１Ｄによって第２内装筐体２５２が係止されるため、第２内装筐体２５２に収容される凹面ミラー３２２が適切な位置で係止される。言い換えると、凹面ミラー３２２で反射された映像光が透過領域２１３を透過するな位置において、係止部４５１Ｃ及び係止部４５１Ｄが第２内装筐体２５２を係止する。
【００４２】
なお、ガイドレール４５１Ａ及びガイドレール４５１Ｂは、筐体２００の縮退状態において、第２内装筐体２５２を係止するための係止部を有していてもよい。
【００４３】
第２に、図４に示すように、第２内装筐体２５２は、ガイドレール４５２Ａを有する。また、第１内装筐体２５１は、ガイドレール４５２Ｂを有する。ガイドレール４５２Ａ及びガイドレール４５２Ｂは、投写光学系３２０の光軸Ｌに沿って第２内装筐体２５２を摺動するためのレールである。すなわち、第２内装筐体２５２は、ガイドレール４５２Ａ及びガイドレール４５２Ｂに沿って摺動する。
【００４４】
なお、ガイドレール４５２Ａ及びガイドレール４５２Ｂは、ガイドレール４５１Ａ及びガイドレール４５１Ｂと同様に、筐体２００の伸長状態において、第２内装筐体２５２を係止するための係止部を有していてもよい。
【００４５】
また、ガイドレール４５２Ａ及びガイドレール４５２Ｂは、筐体２００の縮退状態において、第２内装筐体２５２を係止するための係止部を有していてもよい。
【００４６】
第３に、図４に示すように、第１内装筐体２５１は、側面視において、Ｖ字斜面２５１Ａを有する。Ｖ字斜面２５１Ａは、ＤＭＤ３５０に近づくほど投写光学系３２０の光軸Ｌに近づくように傾斜する第１斜面２５１Ｂと、ＤＭＤ３５０に近づくほど投写光学系３２０の光軸Ｌから離れるように傾斜する第２斜面２５１Ｃとを有する。第１斜面２５１Ｂには、筐体２００の伸縮状態において、映像光を透過する透過領域２１３が設けられている。
【００４７】
なお、Ｖ字斜面２５１Ａ、第１斜面２５１Ｂ及び第２斜面２５１Ｃは、上述したＶ字斜面２１０、第１斜面２１１及び第２斜面２１２と同様である。また、Ｖ字斜面２５１Ａは、Ｖ字斜面２１０と同様に、筐体２００の伸縮状態において、凹面ミラー３２２で反射された映像光を遮光しない形状（傾斜）を有する。
【００４８】
第４に、図４に示すように、第２内装筐体２５２の一部は、筐体２００の縮退状態において、透過領域２１３を被覆する。例えば、第２内装筐体２５２のうち、ガイドレール４５２Ａが設けられた部分は、筐体２００の縮退状態において、透過領域２１３を被覆する。
【００４９】
なお、第１内装筐体２５１及び第２内装筐体２５２は、筐体２００の伸縮において、第１内装筐体２５１及び第２内装筐体２５２によって凹面ミラー３２２が密閉された状態を維持する。すなわち、筐体２００の伸縮（第２内装筐体２５２の摺動）を通じて、凹面ミラー３２２が筐体２００の外部に露出しないように、筐体２００が構成されている。
【００５０】
“密閉”は、ユーザが凹面ミラー３２２を触ることができない程度の被覆を意味している。従って、多少の隙間が存在しているケースについても“密閉”の概念に含まれることに留意すべきである。
【００５１】
（照明光学系の構成）
以下において、第１実施形態に係る照明光学系の構成について、図面を参照しながら説明する。図５は、第１実施形態に係る照明光学系３１０の構成を示す図である。
【００５２】
図５に示すように、照明光学系３１０は、光源１０（光源１０Ｒ、光源１０Ｇ及び光源１０Ｂ）と、ダイクロイックミラー２０と、ダイクロイックミラー３０と、ロッドインテグレータ４０と、反射ミラー５０と、反射ミラー６０と、打ち上げミラー７０とを有する。
【００５３】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｇは、緑成分光Ｇを出射する光源であり、例えば、緑ＬＥＤや緑ＬＤである。光源１０Ｂは、青成分光Ｂを出射する光源であり、例えば、青ＬＥＤや青ＬＤである。
【００５４】
ダイクロイックミラー２０は、光源１０Ｇから出射される緑成分光Ｇを透過し、光源１０Ｂから出射される青成分光Ｂを反射する。ダイクロイックミラー３０は、緑成分光Ｇ及び青成分光Ｂを透過し、光源１０Ｒから出射される赤成分光Ｒを反射する。
【００５５】
ロッドインテグレータ４０は、光入射面と、光出射面と、光入射面の外周から光出射面の外周に亘って設けられる光反射側面とを有する。ロッドインテグレータ４０は、光源１０（光源１０Ｒ、光源１０Ｇ及び光源１０Ｂ）から出射された色成分光を均一化する。
【００５６】
反射ミラー５０及び反射ミラー６０は、ロッドインテグレータ４０から出射された色成分光を反射して、ロッドインテグレータ４０から出射された色成分光を打ち上げミラー７０に導く。
【００５７】
打ち上げミラー７０は、反射ミラー５０及び反射ミラー６０によって導かれた色成分光をＤＭＤ３５０側に反射する。
【００５８】
（作用及び効果）
第１実施形態では、第１内装筐体２５１は、投写光学系３２０の光軸Ｌに沿って第２内装筐体２５２を摺動可能に支持する。また、凹面ミラー３２２は、投写光学系３２０の光軸Ｌに対してＤＭＤ３５０の反対側にシフトするように配置される。従って、筐体２００の縮退時において、投写光学系３２０の光軸Ｌに対してＤＭＤ３５０の反対側に設けられる空き空間に凹面ミラーを収容することができる。
【００５９】
第１実施形態では、ガイドレール４５１Ａ及びガイドレール４５１Ｂは、筐体２００の伸長状態において、第２内装筐体２５２を係止するための係止部４５１Ｃ及び係止部４５１Ｄを有する。従って、第２内装筐体２５２に収容される凹面ミラー３２２を適切な位置で係止することができる。
【００６０】
第１実施形態では、第２内装筐体２５２の一部は、筐体２００の縮退状態において、透過領域２１３を被覆する。従って、透過領域２１３がガラスなどの透明部材である場合には、透過領域２１３を構成する透明部材の損傷を抑制することができる。透過領域２１３が開口である場合には、透過領域２１３を構成する開口から埃などが侵入することを抑制することができる。
【００６１】
［変更例１］
以下において、第１実施形態の変更例１について説明する。以下においては、第１実施形態に対する相違点について主として説明する。
【００６２】
変更例１では、第１実施形態と比べて、第１外装筐体２６１の形状が異なっている。変更例１では、図６に示すように、Ｖ字斜面２５１Ａの第２斜面２５１Ｃ上に第１外装筐体２６１の一部が張り出している。
【００６３】
［変更例２］
以下において、第１実施形態の変更例２について説明する。以下においては、第１実施形態に対する相違点について主として説明する。
【００６４】
変更例２では、図７に示すように、上述したガイドレール４５２Ｂが省略されている。また、ガイドレール４５２Ｂの省略に伴って、凹面ミラー３２２を下側から支持する部分が第２内装筐体２５２から省略されている。
【００６５】
これによって、筐体２００の縮退時において、第１内装筐体２５１内において第２内装筐体２５２を収容すべき空間が減少する。従って、第１内装筐体２５１内の空間を有効に利用することができる。例えば、冷却装置３３０の大型化が可能である。
【００６６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６７】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよい。
【００６８】
実施形態では、第１筐体が第１内装筐体２５１及び第１外装筐体２６１によって構成されており、第２筐体が第２内装筐体２５２及び第２外装筐体２６２によって構成される。しかしながら、実施形態は、これに限定されるものではない。具体的には、第１内装筐体２５１及び第１外装筐体２６１は、１つの筐体であってもよい。同様に、第２内装筐体２５２及び第２外装筐体２６２は、１つの筐体であってもよい。
【符号の説明】
【００６９】
１０…光源、２０…ダイクロイックミラー、３０…ダイクロイックミラー、４０…ロッドインテグレータ、５０…反射ミラー、６０…反射ミラー、７０…ミラー、１００…投写型映像表示装置、２００…筐体、２１０…Ｖ字斜面、２１１…第１斜面、２１２…第２斜面、２１３…透過領域、２５１…第１内装筐体、２５１Ａ…Ｖ字斜面、２５１Ｂ…第１斜面、２５１Ｃ…第２斜面、２５２…第２内装筐体、２６１…第１外装筐体、２６２…第２外装筐体、３１０…照明光学系、３２０…投写光学系、３２１…投写レンズ群、３２２…凹面ミラー、３３０…冷却装置、３４０…基板、３５０…ＤＭＤ、４５１Ａ…ガイドレール、４５１Ｂ…ガイドレール、４５１Ｃ…係止部、４５１Ｄ…係止部、４５２Ａ…ガイドレール、４５２Ｂ…ガイドレール
【図１】
2012208242.tif 000003
【図２】
2012208242.tif 000004
【図３】
2012208242.tif 000005
【図４】
2012208242.tif 000006
【図５】
2012208242.tif 000007
【図６】
2012208242.tif 000008
【図７】
2012208242.tif 000009